(57)【特許請求の範囲】
【請求項１】
著作権保護用の処理を行う信号処理部を搭載した第１のメモリと、上記信号処理部を搭載していない第２のメモリとが選択的に装着可能とされるとともに、
第１の圧縮処理が施された入力デジタルオーディオ信号をアナログオーディオ信号に変換する変換手段と、
上記変換手段にて変換されたアナログオーディオ信号と、マイクロホン入力によるアナログオーディオ信号を選択する第１の選択手段と、
上記第１の選択手段にて選択されたアナログオーディオ信号に対して上記第１の圧縮処理とは異なる第２の圧縮処理を施す圧縮処理手段と、
上記入力デジタルオーディオ信号と、上記圧縮処理手段にて第２の圧縮処理が施された信号とを選択する第２の選択手段と、
上記第２の選択手段で選択された信号を、装着されているメモリに記録する記録手段と、
装着されているメモリが上記第１のメモリか或いは上記第２のメモリかを判別する判別手段と、
上記判別手段により上記第１のメモリが装着されていると判別された場合には上記入力デジタルオーディオ信号が選択され、上記判別手段により上記第２のメモリが装着されていると判別された場合には上記圧縮処理手段にて第２の圧縮処理が施された信号が選択されるように、上記第２の選択手段の選択状態を制御する制御手段と、
を備えていることを特徴とする携帯端末。
【請求項２】
マイクロホン入力モードとライン入力モードを選択設定できるモード操作手段を更に備え、
上記制御手段は、上記モード操作手段によりマイクロホン入力モードが設定された場合には、上記第１の選択手段によりマイクロホン入力によるアナログオーディオ信号を選択させるとともに、上記第２の選択手段により上記第２の圧縮処理が施された信号を選択させることを特徴とする請求項１に記載の携帯端末。
【請求項３】
マイクロホン入力モードとライン入力モードを選択設定できるモード操作手段を更に備え、
上記制御手段は、上記モード操作手段によりライン入力モードが設定されるとともに上記判別手段により上記第１のメモリが装着されていると判別された場合には、上記第２の選択手段により上記入力デジタルオーディオ信号を選択させることを特徴とする請求項１に記載の携帯端末。
【請求項４】
マイクロホン入力モードとライン入力モードを選択設定できるモード操作手段を更に備え、
上記制御手段は、上記モード操作手段によりライン入力モードが設定されるとともに上記判別手段により上記第２のメモリが装着されていると判別された場合には、上記第１の選択手段により上記変換手段にて変換されたアナログオーディオ信号を選択させ、さらに上記第２の選択手段により上記第２の圧縮処理が施された信号を選択させることを特徴とする請求項１に記載の携帯端末。
【請求項５】
著作権保護用の処理を行う信号処理部を搭載した第１のメモリと、上記信号処理部を搭載していない第２のメモリとが選択的に装着可能とされるとともに、
ステレオ信号である入力デジタルオーディオ信号をモノラル信号に変換する変換手段と、
マイクロホン入力手段と、
上記入力デジタルオーディオ信号と、上記変換手段にて変換されたモノラル信号と、上記マイクロホン入力手段からの信号とを選択する選択手段と、
上記選択手段で選択された信号を、装着されているメモリに記録する記録手段と、
装着されているメモリが上記第１のメモリか或いは上記第２のメモリかを判別する判別手段と、
マイクロホン入力モードとライン入力モードを選択設定できるモード操作手段と、
上記判別手段による判別結果、及び上記モード操作手段により設定されたモードに応じて、上記選択手段の選択状態を制御する制御手段と、
を備えていることを特徴とする携帯端末。
【請求項６】
上記制御手段は、上記モード操作手段によりマイクロホン入力モードが設定された場合には、上記選択手段により、上記マイクロホン入力手段からの信号を選択させることを特徴とする請求項５に記載の携帯端末。
【請求項７】
上記制御手段は、上記モード操作手段によりライン入力モードが設定されるとともに上記判別手段により上記第１のメモリが装着されていると判別された場合には、上記選択手段により上記入力デジタルオーディオ信号を選択させることを特徴とする請求項５に記載の携帯端末。
【請求項８】
上記制御手段は、上記モード操作手段によりライン入力モードが設定されるとともに上記判別手段により上記第２のメモリが装着されていると判別された場合には、上記選択手段により上記変換手段にて変換されたモノラル信号を選択させることを特徴とする請求項５に記載の携帯端末。
【発明の詳細な説明】
【０００１】
【発明の属する技術分野】
本発明は、例えば著作権対応のメモリと非著作権対応のメモリなどを選択的に装着可能な携帯端末に関するものである。
【０００２】
【従来の技術】
現在、ＷＷＷ（world wide web）において、ＰＣ（パーソナルコンピュータ）を介して所望のサーバにアクセスして、圧縮処理が施された音楽、映像等のデジタルデータをＰＣ上のハードディスクにダウンロードし、ユーザが楽しむことなどが広く行われている。
更に、フラッシュメモリに代表される不揮発性メモリを搭載した可搬型のメモリ（例えばメモリカード）を携帯端末に装填し（或いは固定の不揮発性メモリが内蔵された携帯端末を用い）、その携帯端末をＩＥＥＥ１３９４規格のケーブル、ＲＳ(recommended standard)−２３２Ｃ、ＵＳＢ(universal standard bus)等のＩ／Ｆ（インターフェース）を介して上記ＰＣに接続することで、ハードディスク上の圧縮が施された音楽、映像等のデジタルデータを上記不揮発性メモリに移動もしくは複写して、例えば屋外で音楽等の聴取を楽しむことができるようにしたものなどが知られている。
【０００３】
【発明が解決しようとする課題】
ところで、インターネット経由でダウンロードされるデジタルデータに関しては現段階では暗号化及び／又は認証等を施すことで実現する著作権管理が厳しくなされてない為に違法コピーが広まってしまうという状況があった。
【０００４】
現在、上記不揮発性メモリに蓄積されるデジタルデータには暗号化が施されておらず、このため上記の携帯端末を用いるシステムにおいても違法コピーが氾濫するという懸念がある。
そこで、著作権管理を厳しく行う為に不揮発性メモリ内部に認証及び暗号を行う信号処理回路を搭載したものが提唱されている。即ち著作権対応の不揮発性メモリ（著作権対応のメモリカード）が開発されている。
【０００５】
ところが、現在提唱されつつある著作権対応の不揮発性メモリを普及させる場合、従来より普及している非著作権対応の不揮発性メモリと、ユーザーサイドにおいて明確に区別され、使用状況に応じて使い分けられるようにすることが必要である。
その一方で、旧来の携帯装置との間での互換性などを考えると、著作権対応の不揮発性メモリを、旧来の不揮発性メモリと異なる外形形状とすることは適切ではない。換言すれば、著作権対応の不揮発性メモリと非著作権対応の不揮発性メモリは、どちらも携帯端末に対して装填可能となる。
【０００６】
非著作権対応の不揮発性メモリは、例えば会議録音などの著作権フリーな音声、映像等のデジタルデータの記録に用いられるものである。
一方、著作権対応の不揮発性メモリは、ＣＤ（コンパクトディスク）やＭＤ（ミニディスク）等の既存の記録媒体から出力されるデジタルデータ（例えば音楽データ）などの記録に用いる。即ち、著作権が保護されるべきデータの記録に対して、暗号化やもしくは所定の認証処理などが行われるようにすることで、違法コピーを防止できるようにするものである。
なおこのため、著作権対応の不揮発性メモリは、非著作権対応の不揮発性メモリに比して、認証処理や暗号化処理の為の信号処理回路が搭載しなければならないものとなる。
【０００７】
携帯端末の形態としては、マイクロホンを接続して会議録音等が可能な携帯端末（マイク入力専用端末）と、上記ＰＣ等から暗号化が施されたデジタルデータ（音楽データ等）をダウンロード可能な携帯端末（ライン入力専用端末）の２種類が考えられる。
更に上記会議録音等の用途と音楽データ等のダウンロード記録等の用途の両方に用いることのできる携帯端末（マイク入力／ライン入力兼用端末）も考えられる。
【０００８】
なお、本明細書でいう「マイク入力」とは、携帯装置にマイクロホンを接続することで（もしくはマイクロホンが内蔵されることで）可能となる、マイクロホンからの音声信号の入力のことをいう。
また「ライン入力」とは、光ケーブル等による例えばデジタルオーディオデータや、上記ＵＳＢ、ＩＥＥＥ１３９４、ＲＳ２３２Ｃなどの規格によるケーブルによるデータ入力のことをいう。
【０００９】
ここで、マイク入力専用端末には非著作権対応の不揮発性メモリが挿入されて使用され、一方、ＰＣ等からデータのダウンロード可能なライン入力専用端末には著作権対応の不揮発性メモリが挿入されて使用されるべきである。
さらに、例えば上記のマイク入力／ライン入力兼用端末では、そのときの用途に応じて（つまりマイク入力録音かライン入力録音かなどの用途）、著作権対応の不揮発性メモリと非著作権対応の不揮発性メモリが使い分けられるべきものである。
【００１０】
ところが上述のように、著作権対応の不揮発性メモリと非著作権対応の不揮発性メモリは、略同一形状となっており、一般ユーザーにとって見分けにくい。また、携帯端末の種別と不揮発性メモリの種別の対応関係を、全てのユーザーが理解した上で使用するわけではない。
【００１１】
これらの事情、即ち、不揮発性メモリの種別の識別の困難性、携帯端末の種別と不揮発性メモリの種別の対応関係の理解不足、使用形態に応じた使い分けの可能性などのことから、ユーザーが携帯端末を使用する際に、適切でない種類の不揮発性メモリを挿入してしまうという誤挿入は頻繁に発生すると考えられ、それによって不適切な記録／再生が行われてしまうことがある。
これによって著作権保護が良好に実現できないといったことが生ずるおそれがある。
また、例えばマイク入力／ライン入力兼用端末では、例えばユーザーがダウンロード録音を行うときに、非著作権対応の不揮発性メモリを装着した場合などは、例えば記録動作を禁止させるような処理方式をとれば、著作権保護は保たれるが、ユーザーが著作権侵害を意図していないで誤挿入したような場合は、ユーザーが録音操作しても録音ができない（或いはユーザが録音したと思っていたのに録音されていない）といった状況は、ユーザーに混乱を来し、或いは故障と誤認させることなどがあり、好ましいものではない。
【００１２】
【課題を解決するための手段】
本発明はこのような事情に鑑み、例えばユーザーが、メモリを誤挿入してデータの記録操作を行った場合でも、少なくとも記録は行われるようにして、ユーザの混乱、故障の誤認、或いは必要なデータが記録できなかったという不都合がないようにするとともに、著作権保護が良好に維持されるようにすることを目的とする。
【００１４】
本発明の携帯端末としては、著作権保護用の処理（例えば暗号化処理や認証処理）を行う信号処理手段を搭載した第１のメモリと、上記信号処理手段を搭載していない第２のメモリとが選択的に装着可能とされるとともに、第１の圧縮処理が施された入力デジタルオーディオ信号をアナログオーディオ信号に変換する変換手段と、変換手段にて変換されたアナログオーディオ信号と、マイクロホン入力によるアナログオーディオ信号を選択する第１の選択手段と、第１の選択手段にて選択されたアナログオーディオ信号に対して第１の圧縮処理とは異なる第２の圧縮処理を施す圧縮処理手段と、入力デジタルオーディオ信号と第２の圧縮処理が施された信号とを選択する第２の選択手段と、第２の選択手段で選択された信号を装着されているメモリに記録する記録手段と、装着されているメモリが上記第１のメモリか或いは上記第２のメモリかを判別する判別手段と、第１のメモリが装着されているときは入力デジタルオーディオ信号が選択され、第２のメモリが装着されているときは第２の圧縮処理が施された信号が選択されるように、第２の選択手段の選択状態を制御する制御手段とを備えているようにする。
つまり著作権対応のメモリが装着された場合は、第１の圧縮処理が施された入力デジタルオーディオ信号（ライン入力信号）をメモリに記録できるようにするが、非著作権対応のメモリが装着された場合には、例えば第１の圧縮処理よりもデータ品質の低い第２の圧縮処理が施されたオーディオ信号がメモリに記録されるようにする。またマイク入力信号についても第２の圧縮処理が施されてメモリに記録されるようにする。即ち、非著作権対応のメモリが装着されているときは、ライン入力される信号について、品質を落として記録することで、著作権侵害となるような悪用ができないようにする一方でユーザーの私的録音は自由に実行できるようにする。そしてまた、マイク入力についてはメモリ種別に関わらず、第２の圧縮処理が施されて記録されるようにすることで、自由な録音ができるようにする。
【００１６】
また本発明の携帯端末としては、同じく上記第１のメモリと上記第２のメモリとが選択的に装着可能とされるとともに、ステレオ信号である入力デジタルオーディオ信号をモノラル信号に変換する変換手段と、マイクロホン入力手段と、入力デジタルオーディオ信号と、変換手段にて変換されたモノラル信号と、マイクロホン入力手段からの信号とを選択する選択手段と、選択手段で選択された信号を装着されているメモリに記録する記録手段と、装着されているメモリが第１のメモリか或いは第２のメモリかを判別する判別手段と、マイクロホン入力モードとライン入力モードを選択設定できるモード操作手段と、判別手段による判別結果及びモード操作手段により設定されたモードに応じて選択手段の選択状態を制御する制御手段とを備えるようにする。
つまりライン入力モードにおいて著作権対応のメモリが装着された場合は、入力デジタルオーディオ信号（ライン入力のステレオ信号）をそのままメモリに記録できるようにするが、非著作権対応のメモリが装着された場合には、モノラル化してメモリに記録されるようにする。またマイクロホン入力モードのときはマイクロホン入力手段からの信号がメモリに記録されるようにする。これも、非著作権対応のメモリが装着されているときは、ライン入力される信号について、品質を落として（モノラル化）記録することで、著作権侵害となるような悪用ができないようにする一方でユーザーの私的録音は自由に実行できるようにする。そしてまた、マイク入力についてはメモリ種別に関わらず、記録されるようにすることで、自由な録音ができるようにする。
【００１７】
【発明の実施の形態】
以下、本発明の実施の形態について説明する。
この実施の形態は、フラッシュメモリを内蔵したメモリカードを、着脱自在の記録媒体として用いる携帯装置の例とする。なお、この携帯装置は、ディジタルオーディオ信号等についての記録再生装置であり、以下、携帯装置を「レコーダ」ともいう。
また本例の携帯装置に対して使用できるメモリカードとしては、著作権に関するセキュリティ機能を持つ著作権対応のメモリカード４０Ａと、著作権に関するセキュリティ機能を持たない非著作権対応のメモリカード４０Ｂがあり、それぞれ説明する。
【００１８】
まず図１に、携帯装置（レコーダ１）及びこのレコーダ１に装着して記録媒体として用いられるメモリカード４０Ａの構成を示す。
図１においては、破線で囲むそれぞれの部位としてレコーダ１及びメモリカード４０Ａの構成を示している。メモリカード４０Ａはレコーダ１Ａに対して着脱自在とされる。
なお、レコーダ１とメモリカード４０Ａ（及び後述する４０Ｂ）による記録再生システムは、ディジタルオーディオ信号以外に動画データ、静止画データ等の記録／再生も実行可能である。
【００１９】
レコーダ１は、ＣＰＵ２と、このＣＰＵ２に対してバスで接続されたセキュリティブロック３と、操作部４と、表示デバイス５とを有している。
セキュリティブロック３は、ＤＥＳ(Data Encryption Standard)の暗号化回路や認証処理のための回路を含む。
【００２０】
操作部４としてはユーザーが各種操作を行うために、記録や再生に関する各種のキー、ボタン、ジョグダイヤルなどが設けられる。
そして操作部４からのユーザの操作に応じて発生した録音指令、再生指令等の操作情報は、バスを介してＣＰＵ２に与えられる。
表示デバイス５は、例えば液晶パネルなどで形成され、ＣＰＵ２の制御に基づいて、種々の情報やレコーダ１の動作状態等が表示される。
【００２１】
またレコーダ１には、さらにモードスイッチ１８が設けられる。
このモードスイッチ１８は、ユーザーがマイクロホンを接続して会議等の口述録音などを行う場合のマイクロホン入力モードと、ライン入力として供給される音楽としてのオーディオ信号の録音を行う場合のライン入力モードとを切り換えるスイッチである。なお、本例でいうライン入力とは、後述するＵＳＢコネクタとしての端子９またはデジタルオーディオ入力に対応する光ケーブル用の端子１０からの入力をいう。
【００２２】
ＣＰＵ２は、バスを介して制御信号を各部に供給することで、各種の制御を行なう。また、記録再生動作制御機能の他に、図示するようにモード判別機能２ａ、カード判別機能２ｂを有する。
モード判別機能２ａは、モードスイッチ１８による操作状態を判別し、マイクロホン入力モードとライン入力モードを設定する。
カード判別機能２ｂは、装着されたメモリカードが、著作権対応（セキュリティ機能を有する）メモリカード４０Ａであるか、或いは後述する非著作権対応のメモリカード４０Ｂであるかを判別する機能である。
【００２３】
さらにレコーダ１には、オーディオインターフェース及びエンコーダ／デコーダ部（以下「エンコーダ／デコーダ」）７が設けられる。
エンコーダ／デコーダ７の詳しい構成及び動作については図４により後述するが、レコーダ１と外部機器の間でのオーディオ信号の入出力のインターフェース処理、各種のエンコード、デコード処理、Ａ／Ｄ変換処理、Ｄ／Ａ変換処理、入出力系のスイッチング処理等を行なう。
レコーダ１についてオーディオ信号の入出力のためには端子８〜端子１２が形成されているが、エンコーダ／デコーダ７は各端子からのオーディオ信号の入出力及び必要な信号処理を実行することになる。
【００２４】
端子８はマイクロホンが接続される端子であり、マイク入力としての音声信号が供給される。例えばレコーダ１により会議等の音声を録音する場合などに使用される。
端子９はＵＳＢコネクタ端子とされており、例えば外部のパーソナルコンピュータなどの情報との間でのデジタルデータ通信を行う際に用いられる。本例では、例えば外部パーソナルコンピュータから、圧縮処理されたオーディオデータの入力が、端子９を介して行われる。端子９から入力される圧縮処理されたオーディオデータは、後述するように、メモリカード４０Ａ、４０Ｂに記録することができる。なお、メモリカード４０Ａ、４０Ｂから読み出したオーディオデータを、端子９からパーソナルコンピュータ等に出力することも可能である。
端子１０は例えば光ケーブル用の端子とされ、外部のオーディオ出力機器、例えばＣＤプレーヤやＭＤ（ミニディスク）プレーヤの再生出力等からデジタルデータとしてのオーディオ信号が入力される。
【００２５】
端子１１は、例えば光ケーブル用の端子とされ、外部のオーディオ出力機器、例えばＭＤプレーヤ等に対してデジタルデータとしてのオーディオ信号を出力する部位となる。
端子１２は、アナログオーディオ信号の出力端子とされ、外部のオーディオ出力機器、例えばＭＤレコーダやテープレコーダ等に対してオーディオ信号を出力する部位となる。
【００２６】
メモリカード４０Ａ（４０Ｂ）に対する記録動作時には、エンコーダ／デコーダ７では、端子８，９，１０から供給されるオーディオ信号に対して、後述する各種処理を行い、そのデータをセキュリティブロック３に供給する。
【００２７】
セキュリティブロック３においては、供給された符号化データを暗号化する。なお、エンコーダ／デコーダ７に関する説明の際に同時に述べるが、セキュリティブロック３では暗号化処理を行わない場合もある。
セキュリティブロック３及び後述するメモリカード４０Ａ内のセキュリティブロック５２は、コンテンツ（ここでは、ディジタルオーディオ信号）の著作権を保護するために備えられているもので、レコーダ１Ａのセキュリティブロック３は、複数のマスターキーと機器毎にユニークなストレージキーを持つ。そしてこれらキーを用いて暗号化及び暗号解読処理を行うことができる。
さらにセッションキーを生成する乱数発生回路を持つ。そして当該レコーダ１Ａにセキュリティブロック５２を内蔵するメモリカード４０Ａが装着された時に、装着されたメモリカード４０Ａが真正なものであるか否かを確認する認証を行い、正しく認証できれば、セキュリティブロック５２との間でセッションキーを共有することができる。
またセキュリティブロック３、５２は、それぞれが所定の認証処理を行うための機能を備えている。
【００２８】
詳しくは後述するが、メモリカード４０Ａは、フラッシュメモリ（不揮発性メモリ）４２、ＤＥＳの暗号化回路を含むセキュリティブロック５２、通信用インターフェース、レジスタ等が１チップ上にＩＣ化されたものである。
このメモリカード４０Ａは、レコーダ１Ａに対して着脱自在とされている。なお本例のレコーダ１Ａでは、暗号化機能を有しないメモリカード、すなわち、セキュリティブロックを有しない、後述するメモリカード４０Ｂを装着することも可能とされている。
【００２９】
上述のように入力され、エンコーダ／デコーダ７及びセキュリティブロック３での処理が施されたオーディオデータはＣＰＵ２に供給される。
ＣＰＵ２は、図示しない着脱機構に装着されたメモリカード４０Ａと、メモリインタフェース１１を介して通信を行なう。なお、メモリインタフェース１１によって、ＣＰＵ２とメモリカード４０Ａとの間では、シリアル通信がなされる。
ＣＰＵ２は、セキュリティブロック３での暗号化処理が施されたオーディオデータを、メモリインターフェース１１を介してメモリカード４０Ａに供給し、フラッシュメモリ４２に書き込む。
以上の経路で、入力されたオーディオ信号がメモリカード４０Ａに記録される。
【００３０】
メモリカード４０Ａに記録されたオーディオデータを再生する際には、ＣＰＵ２はメモリインターフェース１１を介してフラッシュメモリ４２から読み出させたオーディオデータを転送させて取り込む。そして読み出されたオーディオデータ、即ち暗号化されているオーディオデータをセキュリティブロック３に供給して暗号解読としての復号化を実行させる（後述するが暗号解読が不要な場合もある）。さらに解読されたオーディオデータをエンコーダ／デコーダ７によって所要の処理を実行させる。
【００３１】
エンコーダ／デコーダ７での処理により４４．１ｋHzサンプリングで１サンプル１６ビットのデータとされたオーディオ信号は、端子１１から外部機器に出力される。
又は、エンコーダ／デコーダ７においてアナログ信号とされたオーディオ信号は、端子１２から外部機器に出力される。
【００３２】
図２はメモリカード４０Ａの構成を示す。
このメモリカード４０Ａは、コントロールブロック４１とフラッシュメモリ４２が１チップＩＣとして構成されたものである。
【００３３】
レコーダ１ＡのＣＰＵ２とメモリカード４０Ａとの間の双方向シリアルインタフェース（メモリインタフェース１１）は、１０本の信号線からなる。
主要な４本の信号線は、データ伝送時にクロックを伝送するためのクロック線ＳＣＫと、ステータス情報を伝送するためのステータス線ＳＢＳと、データを伝送するデータ線ＤＩＯと、インターラプト線ＩＮＴとである。
その他に電源供給用として、２本のグランド線ＧＮＤおよび２本の電源電圧線ＶＣＣが設けられる。なお、残りの２本の信号線Ｒｅｓｅｒｖは、未定義の線である。
【００３４】
クロック線ＳＣＫは、データに同期したクロックを伝送するための線である。ステータス線ＳＢＳは、メモリカード４０Ａのステータスを表す信号を伝送するための線である。
データ線ＤＩＯは、コマンドおよび暗号化されたオーディオデータを入出力するための線である。
【００３５】
インターラプト線ＩＮＴは、メモリカード４０Ａからレコーダ１ＡのＣＰＵ２に対しての割り込みを要求するインターラプト信号を伝送する線である。
インターラプト信号は、メモリカード４０Ａをレコーダ１Ａに装着した時に発生される。但し本例では、かかるインターラプト信号をデータ線ＤＩＯを介して伝送するようにしているので、インターラプト線ＩＮＴを接地し、使用していない。
【００３６】
コントロールブロック４１のシリアル／パラレル変換・パラレル／シリアル変換・インタフェースブロック（Ｓ／Ｐ，Ｐ／Ｓ，ＩＦブロックと略す）４３は、上述した複数の線を介して接続されたレコーダ１のメモリインタフェース１１とコントロールブロック４１とのインタフェースである。
このＳ／Ｐ，Ｐ／Ｓ，ＩＦブロック４３は、レコーダ１Ａから受け取ったシリアルデータをパラレルデータに変換してコントロールブロック４１内に取り込み、またコントロールブロック４１からのパラレルデータをシリアルデータに変換してレコーダ１Ａに送る処理を行う。
【００３７】
また、Ｓ／Ｐ，Ｐ／Ｓ，ＩＦブロック４３は、データ線ＤＩＯを介して伝送されるコマンドおよびデータを受け取った時に、フラッシュメモリ４２に対する通常のアクセスのためのコマンドおよびデータと、暗号化に必要なコマンドおよびデータとを分離する。
つまり、データ線ＤＩＯを介して伝送される信号フォーマットとしては、最初にコマンドが伝送され、その後にデータが伝送されるため、Ｓ／Ｐ，Ｐ／Ｓ，ＩＦブロック４３は、コマンドのコードを見て、通常のアクセスに必要なコマンドおよびデータか、暗号化が必要なコマンドおよびデータかを判別する。
この判別結果に従って、通常のアクセスに必要なコマンドをコマンドレジスタ４４に格納し、データをページバッファ４５およびライトレジスタ４６に格納する。
【００３８】
ライトレジスタ４６と関連してエラー訂正符号化回路４７が設けられている。エラー訂正符号化回路４７は、ページバッファ４５に一時的に蓄えられたデータに対してエラー訂正符号の冗長コードを生成する。
コマンドレジスタ４４、ページバッファ４５、ライトレジスタ４６およびエラー訂正符号化回路４７の出力データがフラッシュメモリインタフェースおよびシーケンサ（メモリＩＦ，シーケンサと略す）５１に供給される。
【００３９】
メモリＩＦ，シーケンサ５１は、コントロールブロック４１とフラッシュメモリ４２とのインタフェースであり、両者の間のデータのやり取りを制御する。このメモリＩＦ，シーケンサ５１を介してデータがフラッシュメモリ４２に書き込まれることになる。
【００４０】
データの読出時には、フラッシュメモリ４２から読み出されたデータがメモリＩＦ，シーケンサ５１を介してページバッファ４５、リードレジスタ４８、エラー訂正回路４９に供給される。
ページバッファ４５に記憶されたデータはエラー訂正回路４９によってエラー訂正がなされる。そしてエラー訂正がされたページバッファ４５の出力およびリードレジスタ４８の出力がＳ／Ｐ，Ｐ／Ｓ，ＩＦブロック４３に供給され、上述したシリアルインタフェースを介してレコーダ１ＡのＣＰＵ２に供給される。
【００４１】
なお、コンフィグレーションＲＯＭ５０は、メモリカード４０Ａのバージョン情報、各種の属性情報等が格納されている部位である。
またメモリカード４０Ａには、ユーザが必要に応じて操作可能な誤消去防止用のスイッチ６０が備えられている。このスイッチ６０が消去禁止の接続状態にある場合には、フラッシュメモリ４２内のデータを消去することを指示するコマンドがレコーダ１Ａ側から送られてきても、フラッシュメモリ４２の消去が禁止される。
発振器６１は、メモリカード４０Ａの処理のタイミング基準となるクロックを発生する部位である。
【００４２】
また著作権保護のために、レコーダ１Ａのセキュリティブロック３とメモリカード４０Ａのセキュリティブロック５２とによって、認証処理や、フラッシュメモリ４２に書き込まれるコンテンツ（ＡＴＲＡＣ３により圧縮されたオーディオデータ、以下ＡＴＲＡＣ３データと表記する）の暗号化が行われる。
セキュリティブロック５２は、バッファメモリ５３、ＤＥＳの暗号化回路５４、不揮発性メモリ５５等を有する。
【００４３】
このセキュリティブロック５２は、複数の認証キーとメモリカード毎にユニークなストレージキーを持つ。
不揮発性メモリ５５は、暗号化に必要なキーを格納するもので、外部からは見えない（読み出せない）ものとされている。例えばストレージキーが不揮発性メモリ５５に格納される。
【００４４】
さらに、乱数発生回路を持ち、専用（ある決められたデータフォーマット等の使用が同じシステム内の意味）レコーダ１Ａと正しく認証ができ、セッションキーを共有できる。
ＡＴＲＡＣ３データを暗号化するためのコンテンツキーは、セッションキーで暗号化されてレコーダ１Ａとメモリカード４０Ａとの間で伝送される。
またメモリカード４０Ａのセキュリティブロック５２と同様に、レコーダ１Ａのセキュリティブロック３もセット固有のストレージキーを有する。例えば暗号化されたコンテンツを移動する時に、ストレージキーを使用してコンテンツキーが掛け直される。
【００４５】
なお、以上のレコーダ１及びメモリカード４０Ａの説明において、メモリカード４０Ａへのオーディオデータの記録の際の暗号化、及びメモリカード４０Ａからの再生時の暗号解読は、レコーダ１Ａ側のセキュリティブロック３で行われるようにしたが、これらがメモリカード４０Ａ内のセキュリティブロック５２で行われるようにしてもよい。
また、記録時にはセキュリティブロック３で暗号化され、再生時にはセキュリティブロック５２で暗号解読が行われるようにしてもよいし、逆に記録時にはセキュリティブロック５２で暗号化され、再生時にはセキュリティブロック３で暗号解読が行われるようにしてもよい。
さらに、記録時にセキュリティブロック３とセキュリティブロック５２で２重に暗号化され、再生時にはセキュリティブロック５２とセキュリティブロック３で暗号解読が行われるようにしてもよい。
セキュリティブロック３、５２は、それぞれ同様の暗号化機能を持つものとすることで、暗号化及び解読のためのキーの共有、授受などの設定により、これらのうちの任意の方式を実現できる。
【００４６】
またセキュリティブロック３、５２は、暗号化及び暗号解読機能以外に、認証機能を備えるものであり、レコーダ１Ａにメモリカード４０Ａが装着された際には、セキュリティブロック３とセキュリティブロック５２の間での認証データの送受信を行い、そのデータ通信の結果により、認証ＯＫ／ＮＧの判断を行う。そして例えば認証ＮＧの場合は、レコーダ１Ａはそのメモリカード４０Ａに対して記録／再生動作を実行させないなどとする処理方式が実現可能となる。
認証処理の具体的な方式としては、レコーダ１Ａにメモリカード４０Ａが装着された際に、レコーダ１Ａ側がセキュリティブロック３内に保持している或る第１の認証データをメモリカード４０Ａ側に送信する。メモリカード４０Ａのセキュリティブロック５２は、送信されてきた或る第１の認証データに対して、予め決められている方式で対応する第２の認証データを発生させ、第１の認証データに第２の認証データを付加してレコーダ１Ａ側に送信する。
レコーダ１Ａ側では、ＣＰＵ２が、メモリカード４０Ａから第１の認証データに対して適正に対応する第２の認証データが送信されてきたか否かを監視することにより認証ＯＫ／ＮＧを判断できる。
このような認証機能と、暗号化／解読機能は、上述のように主に著作権保護のために設けられているものである。
【００４７】
図３は、暗号化機能を有しない（すなわち、著作権に関するセキュリティ非対応の）メモリカード４０Ｂを示す。なお、図２のメモリカード４０Ａと同一部分は同一符号を付し、説明を省略する。
図２により説明したメモリカード４０Ａと比較すると、Ｓ／Ｐ，Ｐ／Ｓ，ＩＦブロック４３に対して、セキュリティブロック５２が接続されていないことが異なる。その他の構成に関してはメモリカード４０Ａと４０Ｂは同一である。
また図示していないが、形状、サイズもメモリカード４０Ａ、４０Ｂは同一とされている。
【００４８】
本例のレコーダ１に対するメモリカードとしては、著作権対応のメモリカード４０Ａと、非著作権対応のレコーダ１Ｂがある。
そして著作権対応のメモリカード４０Ａは、主に音楽など著作権保護が必要なデータの記録再生に用いられ、一方、非著作権対応のメモリカード４０Ｂは、例えば会議録音など著作権保護が不要なデータの記録再生に用いられる。
【００４９】
基本的な使用形態としては、例えば会議録音等の用途（以下、口述記録）の場合は、ユーザーはレコーダ１にメモリカード４０Ｂを装填するとともに、モードスイッチ１８によりマイクロフォン入力モードとして、録音操作を行うことになる。
すると、マイクロフォンが接続された端子８からの入力オーディオ信号がメモリカード４０Ｂに記録されていく。
また、音楽録音等の著作権保護が必要とされる用途（以下、音楽録音）の場合は、ユーザーはレコーダ１にメモリカード４０Ａを装填するとともに、モードスイッチ１８によりライン入力モードとして、録音操作を行うことになる。すると端子９又は１０からの音楽等のオーディオ信号がメモリカード４０Ａに記録されていく。
【００５０】
しかしながら、メモリカードの種別やモードスイッチの操作などを、ユーザーが必ずしも正確に実行できるとは限らず、例えば音楽録音の際にメモリカード４０Ａを装填してしまったり、或いは口述録音の際にメモリカード４０Ｂを装填してしまうといった事態も考えられる。
そして、そのような事態においては、ユーザーが少なくとも録音しようとした情報が録音されるようにすることと、その一方で著作権保護についても適切に行われることが求められる。
そこで本例では、モードスイッチ１８によるモード状態と、装填されたメモリカードの種別（４０Ａ／４０Ｂの種別）に応じたＣＰＵ２の制御により、エンコーダ／デコーダ７で所要の処理が実行されることで、録音情報の保護と著作権保護が両立されるようにするものである。
【００５１】
なお、このためにはＣＰＵ２のカード判別機能２ｂが装填されたメモリカードの種別を判定しなければならない。
メモリカードの種類を判定する方法としては、幾つかの方法がある。
一つの方法では、認証時の応答状態を監視する。
メモリカードが装着された時には、上述したようにレコーダ１ＡのＣＰＵ２は認証を行うためにメモリカードに対して第１の認証データを伝送するが、メモリカード４０Ｂが装着されていた場合は、セキュリティブロック５２が存在しないため、メモリカード４０Ｂからは、正規の応答（上述した第２の認証データ）を受信できない。
従ってＣＰＵ２は、第１の認証データの送信後、或る時間を経過しても正規の応答が得られなかった場合は、装着されたメモリカードが非著作権対応のメモリカード４０Ｂと判定できる。逆に正規の応答が得られれば、それは著作権対応のメモリカード４０Ａと判定できる。
【００５２】
他の方法としては、メモリカードの領域（ブート領域）中に、著作権対応／非著作権対応の識別情報を記録しておく方法がある。
即ちＣＰＵ２はメモリカードが装着された時に、最初にレコーダ１Ａに読み込まれるブート領域のデータ中における、著作権対応／非著作権対応の識別情報を読み取り、この識別情報に基づいてレコーダ１Ａがメモリカードの種類（４０Ａ又は４０Ｂ）を判定することができる。
【００５３】
例えばこのようにしてＣＰＵ２（カード判別機能２ｂ）がメモリカードの種類を判定し、またモード判別機能２ａによってモードスイッチ１８によるモード選択状態を判別すると、その判別結果に応じてＣＰＵ２は、エンコーダ／デコーダ７に対して所要の制御を行う。
【００５４】
まずエンコーダ／デコーダ７の構成を図４で説明する。
入力系としては、端子８、９、１０のそれぞれに対応する部位が設けられる。
端子８からのマイク入力に関する部位としては、マイクアンプ７１、スイッチ７４、Ａ／Ｄ変換器７７、ＡＤＰＣＭエンコーダ７６が設けられる。
マイク入力としてのオーディオ信号は、マイクアンプ７１で増幅された後、スイッチ７４のｃ端子を介してＡ／Ｄ変換器７７でデジタルデータとされ、ＡＤＰＣＭエンコーダ７６でＡＤＰＣＭ方式の圧縮処理が施される。ＡＤＰＣＭ方式で圧縮処理されたオーディオ信号は、スイッチ７５のａ端子を介して、セキュリティブロック３に供給される。
但し、マイク入力音声については、通常は上述のようにメモリカード４０Ｂに記録されるとともに暗号化処理は不要であるため、セキュリティブロック３内のスイッチ３ｃにより、暗号化ブロック３ａの処理がパスされてＣＰＵ２に供給されるものとなる。
【００５５】
光ケーブルが接続される端子１０からのデジタルオーディオデータに関する部位としては、ＡＴＲＡＣ３エンコーダ７８が設けられる。
ＡＴＲＡＣ３エンコーダ７８は、ディジタルオーディオ信号について、上記ＡＤＰＣＭ方式よりも高能率かつ高品質で圧縮符号化する部位である。
ＡＴＲＡＣ３という高能率符号化方式は、ミニディスクシステムで採用されているＡＴＲＡＣ(Adaptive Transform Acoustic Coding)を改良した方式であり、４４．１ｋHzでサンプリングした１サンプル１６ビットのオーディオデータを処理する。ＡＴＲＡＣ３でオーディオデータを処理する時の最小のデータ単位がサウンドユニット（ＳＵ）である。１ＳＵは、１０２４サンプル分（１０２４×１６ビット×２チャンネル）を数百バイトに圧縮したものであり、時間にして約２．３ｍ秒である。このようなＡＴＲＡＣ３によりオーディオデータが約１／１０のデータ量に圧縮される。なお圧縮／伸長処理による音質の劣化は少ない。
ＡＴＲＡＣ３エンコーダ７８で圧縮処理されたオーディオ信号は、セキュリティブロック３に供給され、暗号化ブロック３ａで暗号化処理が行われてからＣＰＵ２に供給される。
【００５６】
ＵＳＢコネクタとしての端子９からの入力データ、例えば上述したようにパーソナルコンピュータから供給される音楽等のデジタルオーディオ信号は、既にＡＴＲＡＣ３方式による圧縮処理及び暗号化処理が施されたデータとされているものである。
即ちパーソナルコンピュータ側で、本例のレコーダ１のシステムに対応させるソフトウエアが搭載されていることで、ＡＴＲＡＣ３圧縮及び暗号化が行われたオーディオデータをレコーダ１に転送し、メモリカード４０Ａに記録できるようにしている。例えばオーディオデータとしてのコンテンツの、メモリカードへの複写又は移動を高品質で実行するための転送系とされている。
この場合、エンコーダ／デコーダ７においてＡＴＲＡＣ３圧縮処理を行う必要はなく、またセキュリティブロック３における暗号化処理も不要となる。従って、端子９からの入力データは、スイッチ７５のｂ端子を介してセキュリティブロック３に供給され、さらにセキュリティブロック３内のスイッチ３ｃにより、暗号化ブロック３ａの処理がパスされてＣＰＵ２に供給されるものとなる。
【００５７】
ただし、この端子９に関する部位としては、ＡＴＲＡＣ３デコーダ７２、Ｄ／Ａ変換器７３も設けられる。ＡＴＲＡＣ３デコーダ７２は、暗号解読及びＡＴＲＡＣ３圧縮処理に対するデコードを行なう。さらにＤ／Ａ変換器７３でアナログオーディオ信号とされることで、外部のパーソナルコンピュータ等から供給された、ＡＴＲＡＣ３圧縮及び暗号化が行われたオーディオデータは、アナログオーディオ信号としてスイッチ７４のｄ端子に供給される。
従ってスイッチ７４のｄ端子が接続されている場合は、そのアナログオーディオ信号が、Ａ／Ｄ変換器７７でデジタルデータとされ、ＡＤＰＣＭエンコーダ７６でＡＤＰＣＭ方式の圧縮処理が施されることになる。
なお、スイッチ７４，７５は、ＣＰＵ２からの制御信号ＳＳにより接続端子が切り換え制御される。
【００５８】
出力系としては、メモリカード４０Ａ（４０Ｂ）から再生され、ＣＰＵ２からセキュリティブロック３を介して転送されてくる信号に対する部位として、ＡＴＲＡＣ３デコーダ８３、ＡＤＰＣＭデコーダ７９、スイッチ８０，８１、Ｄ／Ａ変換器８２が形成される。
なお、セキュリティブロック３に関しては、ＣＰＵ２から転送されてきたデータが暗号化処理されているものであるか否かによりスイッチ３ｄが切り換えられ、暗号解読ブロック３ｂへデータが供給される場合と、暗号解読ブロック３ｂがパスされる場合とがある。
【００５９】
本例の場合、暗号化されてメモリカード４０Ａに記録されているデータは、ＡＴＲＡＣ３エンコードされている。
従ってそのようなデータが再生された場合は、ＣＰＵ２から転送されてきたデータは暗号解読ブロック３ｂで暗号解読され、ＡＴＲＡＣ３デコーダ８３に供給される。
なお、図面上は別ブロックとして示しているが、上記ＡＴＲＡＣ３デコーダ７２とＡＴＲＡＣデコーダ８３は、同一部とされればよい。
【００６０】
そしてＡＴＲＡＣ３デコーダ８３において４４．１ｋHzサンプリングで１サンプル１６ビットのデータとされたオーディオ信号は、スイッチ８０を介して端子１２に供給される。即ちデジタルオーディオデータとして出力される。
又は、ＡＴＲＡＣ３デコーダ８３において４４．１ｋHzサンプリングで１サンプル１６ビットのデータとされたオーディオ信号は、スイッチ８１を介してＤ／Ａ変換器８２に供給されてアナログオーディオ信号とされ、端子１２から外部機器に出力される。
【００６１】
メモリカード４０Ｂに記録されたデータは暗号化は施されていない。また、後述するようにメモリカード４０Ａに記録するデータであっても暗号化を施さない場合がある。このようなデータが再生された場合は、ＣＰＵ２から転送されてきたデータはスイッチ３ｄからＡＤＰＣＭデコーダ７９に供給される。
【００６２】
そしてＡＤＰＣＭデコーダ７９において４４．１ｋHzサンプリングで１サンプル１６ビットのデータとされたデジタルオーディオ信号は、スイッチ８０を介して端子１２に供給され、外部機器に出力される。
又は、ＡＤＰＣＭデコーダ７９において４４．１ｋHzサンプリングで１サンプル１６ビットのデータとされたオーディオ信号は、スイッチ８１を介してＤ／Ａ変換器８２に供給されてアナログオーディオ信号とされ、端子１２から外部機器に出力される。
【００６３】
エンコーダ／デコーダ７はこのように構成されているが、端子８，９，１０から入力されるオーディオ信号についてメモリカードに記録を行う際には、ＣＰＵ２は、上記のようにモード状態及びメモリカードの種別の判別に基づいて、図５に示すようにスイッチ７４，７５を制御する。
なお説明上、端子８，９からの入力のみについて述べ、端子１０からの入力については、後に補足するにとどめる。
【００６４】
記録時のＣＰＵ２の処理としては、図５のステップＦ１０１において、モード判別機能２ａにより、モードスイッチ１８によるモード状態を判別する。
モードスイッチ１８によりマイクロホン入力モードとされている場合、つまり口述記録が行われる場合は、ＣＰＵ２は処理をステップＦ１０２に進め、スイッチ７４をｃ端子に接続させるとともに、スイッチ７５をａ端子に接続させる。
なお、この場合セキュリティブロック３ではスイッチ３ｃにより暗号化ブロック３ａはバイパスされる。
これにより、マイクロホンによって集音されたオーディオ信号について、端子８→マイクアンプ７１→Ａ／Ｄ変換器７７→ＡＤＰＣＭエンコーダ７６→ＣＰＵ２という入力系が形成される。従ってマイクロホン入力のオーディオ信号は、ステップＦ１０５の処理としてＡＤＰＣＭモードで記録される。つまりＡＤＰＣＭ圧縮処理が施され、暗号化処理は行われずにメモリカードに記録される。
なおこの場合は、基本的にはメモリカード４０Ｂが用いられるべきであるが、装填されているメモリカードがメモリカード４０Ａであってもよい。つまりユーザーが間違って（或いはメモリカード４０Ｂの手持ちがなくて）メモリカード４０Ａを装填してしまっても、録音は実行される。
また、このようにマイクロホン入力モードとされているときは、スイッチ７４，７５が上記接続状態となっていることから、端子９からのデータの録音は不能となる。つまり著作権保護が必要な端子９からの音楽データが、マイクロホン入力モードにおいてメモリカードに記録されることはない。
【００６５】
ステップＦ１０１でライン入力モードと判別された場合、つまりユーザーがパーソナルコンピュータからの複写又は移動としての音楽記録を求めている場合は、ＣＰＵ２は処理をステップＦ１０３に進め、カード判別機能２ｂにより装填されているメモリカードの種別を判別する。
そして著作権対応のメモリカード４０Ａであった場合は、ステップＦ１０６に進んで、スイッチ７５をｂ端子に接続させる。
【００６６】
これにより、ＵＳＢコネクタとしての端子９から入力されるオーディオ信号（ＡＴＲＡＣ３エンコード及び暗号化処理済のオーディオデータ）について、端子９→ＣＰＵ２という入力系が形成される。従ってパーソナルコンピュータ等から供給されたオーディオデータは、ステップＦ１０７の処理としてＡＴＲＡＣ３モードで記録される。つまりＡＴＲＡＣ３エンコード及び暗号化処理済のオーディオデータがメモリカード４０Ａに記録される。
【００６７】
ところが、ユーザーがパーソナルコンピュータからの複写又は移動としての音楽記録を求めてライン入力モードとした場合でも、非著作権対応のメモリカード４０Ｂを装填してしまうことがある。この場合、そのまま複写又は移動としての記録を実行させることは、レコーダ１とメモリカード４０Ｂとの間では認証処理等が実行不能となり、場合によっては著作権保護が実現されないおそれもある。その一方で、記録を禁止することは、善意のユーザーに対して不親切である。
そこでＣＰＵ２は、ステップＦ１０３で装填されているメモリカードが非著作権対応のメモリカード４０Ｂであった場合は、ステップＦ１０４に進んで、スイッチ７４をｄ端子に接続させるとともに、スイッチ７５をａ端子に接続させる。
【００６８】
これにより、ＵＳＢコネクタとしての端子９から入力されるオーディオ信号（ＡＴＲＡＣ３エンコード及び暗号化処理済のオーディオデータ）について、端子９→ＡＴＲＡＣ３デコーダ７２→Ｄ／Ａ変換器７３→Ａ／Ｄ変換器７７→ＡＤＰＣＭエンコーダ７６→ＣＰＵ２という入力系が形成される。
従ってＡＴＲＡＣ３エンコード及び暗号化処理済の状態で転送されてきたオーディオデータは、一旦アナログ信号に戻された後、再びデジタルデータ化され、さらにＡＤＰＣＭエンコードされる。
このような入力系により、ステップＦ１０５の処理としてＡＤＰＣＭモードでの記録される。つまりＡＴＲＡＣ３エンコード及び暗号化処理済のオーディオデータは、アナログ信号に戻された後、ＡＤＰＣＭ圧縮処理が施され、暗号化処理は行われずにメモリカードに記録される。
これは、メモリカード４０Ｂに対して、信号品質を落として記録を行うことを意味する。即ち信号品質を落とすことで、ユーザーの私的利用としての録音は可能にするが、著作権侵害を目的としての使用にとっては不都合な状態とするものである。つまりデータの品質を低下させることで第３者への複写等の配布の価値を下げさせ、これによりメモリカード４０Ｂを悪用することによる著作権侵害を防止するものである。
【００６９】
以上の処理による記録動作を図６にまとめて示す。
即ちマイクロホン入力モード（口述記録）の場合には、メモリカードの種別に関わらず、端子８からのマイク入力音声信号がＡＤＰＣＭモードで記録される。
一方、ライン入力モード（音楽記録）の場合には、著作権対応のメモリカード４０Ａが装填された場合は、端子９からのＵＳＢ転送入力をＡＴＲＡＣ３モード、つまり高品質データのまま記録するが、非著作権対応のメモリカード４０Ｂが装填された場合は、端子９からのＵＳＢ転送入力をＡＤＰＣＭモード、つまり低品質データに変換して記録するものとなる。
【００７０】
なお、端子１０からのデジタルオーディオ信号については、例えば図４に破線で示すようにスイッチ９０を設けることで、ＵＳＢ入力と同様にメモリカード種別に応じた記録処理が実行できる。
即ち、メモリカード４０Ａが装填された場合は、端子１０からのデジタルオーディオ信号がＡＴＲＡＣ３エンコーダ７８でＡＴＲＡＣ３方式で圧縮処理され、セキュリティブロック３の暗号化ブロック３ａで暗号化された上で、メモリカード４０Ａに記録されるようにする。
一方、メモリカード４０Ｂが装填された場合は、端子１０からのデジタルオーディオ信号がＤ／Ａ変換器７３でアナログ信号とされた後、Ａ／Ｄ変換器７７でデジタル化処理、及びＡＤＰＣＭエンコーダ７６でＡＤＰＣＭ方式で圧縮処理されるようにし、セキュリティブロック３で暗号化されない状態でメモリカード４０Ｂに記録されるようにする。
【００７１】
但し、端子１０から入力されるデジタルオーディオ信号については、メモリカード４０Ａが装填されている場合以外、つまりメモリカード４０Ｂが装填され認証処理や暗号化処理にとって不都合な状態にあるときは、記録が禁止されるような処理を行ってもよい。
【００７２】
なお上記例では、信号品質の高い圧縮方法としてＡＴＲＡＣ３を採用し、信号品質の低い圧縮方法としてＡＤＰＣＭを採用した例を説明したが、品質の高い圧縮方法としてＭＰＥＧ、ＴＷＩＮ―ＶＱ、ＥＰＡＣ、ＡＡＣ(advanced acoustic coding)、real audio、ＭＳ−audio、ＡＣ―３等の他の圧縮方法を用いてもよい。また品質の低い圧縮方法としてＤＰＣＭを採用したり、或いは上記各種の圧縮方法でレートを落とすという手法も考えられる。
【００７３】
更に、オーディオ信号の圧縮を主体に説明したが、静止画像、動画像に適応してもよい。
その際に、品質の高い圧縮方法としてＢＭＰ(ビットマップ)、ＨＤ(Hi-definition)を採用し、品質の低い圧縮方法としてＧＩＦ、ＪＰＥＧ、ＳＤ(standard definition)を採用することなどが考えられる。
更に、上記図４の構成例では品質の高いＡＴＲＡＣ３信号を品質の低いＡＤＰＣＭ信号に変換する例を述べたが、その逆を行ってもよい。
【００７４】
ところで、上記例では著作権対応のメモリカード４０Ａと非著作権対応のメモリカード４０Ｂに応じて、記録するデータの圧縮率を変化させることで、記録データの品質をコントロールする技術を説明したが、別の手法として、著作権対応のメモリカード４０Ａにはステレオのオーディオ信号を、非著作権対応のメモリカード４０Ｂにはモノラルのオーディオ信号を記録するようにすることも考えられる。
このような実施の形態の例を図７〜図９で説明する。
【００７５】
この場合のエンコーダ／デコーダ７の構成を図７で説明する。なお図４と同一部分については同一符号を付し、詳細な説明は省略する。
この場合、端子８からのマイク入力に関する部位としては、マイクアンプ７１、Ａ／Ｄ変換器９１、ＡＤＰＣＭエンコーダ７６が設けられる。
従ってマイク入力としてのオーディオ信号は、マイクアンプ７１で増幅された後、Ａ／Ｄ変換器７７でデジタルデータとされ、ＡＤＰＣＭエンコーダ７６でＡＤＰＣＭ方式の圧縮処理が施される。ＡＤＰＣＭ方式で圧縮処理されたオーディオ信号は、スイッチ９３のｃ端子を介して、セキュリティブロック３に供給される。
そしてマイク入力音声については、通常は上述のようにメモリカード４０Ｂに記録されるとともに暗号化処理は不要であるため、セキュリティブロック３内のスイッチ３ｃにより、暗号化ブロック３ａの処理がパスされてＣＰＵ２に供給されるものとなる。
【００７６】
光ケーブルが接続される端子１０からのデジタルオーディオデータに関する部位としては、ＡＴＲＡＣ３エンコーダ７８が設けられる。そしてＡＴＲＡＣ３エンコーダ７８で圧縮処理されたオーディオ信号は、セキュリティブロック３に供給され、暗号化ブロック３ａで暗号化処理が行われてからＣＰＵ２に供給される。これは図４の場合と同様である。
【００７７】
ＵＳＢコネクタとしての端子９からの入力データ、例えば上述したようにパーソナルコンピュータから供給される音楽等のデジタルオーディオ信号は、既にＡＴＲＡＣ３方式による圧縮処理及び暗号化処理が施されたデータとされているものである。
この場合、エンコーダ／デコーダ７においてＡＴＲＡＣ３圧縮処理を行う必要はなく、またセキュリティブロック３における暗号化処理も不要となる。従って、端子９からの入力データは、スイッチ９３のｂ端子を介してセキュリティブロック３に供給され、さらにセキュリティブロック３内のスイッチ３ｃにより、暗号化ブロック３ａの処理がパスされてＣＰＵ２に供給されるものとなる。
【００７８】
ただし、この端子９に関する部位としては、ステレオ／モノラル変換部９２も設けられる。
端子９から入力されるＡＴＲＡＣ３処理が施されたデジタルオーディオ信号は、右チャンネル、左チャンネルのデータが交互に時分割多重されて伝送されてくる。ステレオ／モノラル変換部９２はこのような時分割多重されたステレオデータに対して、右チャンネル、左チャンネルのデータを間引いてモノラル信号に変換する。
従ってスイッチ９３のａ端子が接続されている場合は、モノラルオーディオデータが記録データとしてＣＰＵ２に供給されることになる。
【００７９】
なお、エンコーダ／デコーダ７の出力系としては、図４と同様にＡＴＲＡＣ３デコーダ８３、ＡＤＰＣＭデコーダ７９、スイッチ８０，８１、Ｄ／Ａ変換器８２が形成される。
【００８０】
エンコーダ／デコーダ７はこのように構成されているが、端子８，９から入力されるオーディオ信号についてメモリカードに記録を行う際には、ＣＰＵ２は、上記のようにモード状態及びメモリカードの種別の判別に基づいて、図８に示すようにスイッチ９３を制御する。
【００８１】
即ち記録時のＣＰＵ２の処理としては、図８のステップＦ２０１において、モード判別機能２ａにより、モードスイッチ１８によるモード状態を判別する。
モードスイッチ１８によりマイクロホン入力モードとされている場合、つまり口述記録が行われる場合は、ＣＰＵ２は処理をステップＦ２０２に進め、スイッチ９３をｃ端子に接続させる。
なお、この場合セキュリティブロック３ではスイッチ３ｃにより暗号化ブロック３ａはバイパスされる。
これにより、マイクロホンによって集音されたオーディオ信号について、端子８→マイクアンプ７１→Ａ／Ｄ変換器９１→ＡＤＰＣＭエンコーダ７６→ＣＰＵ２という入力系が形成される。
従ってマイクロホン入力のオーディオ信号は、ステップＦ２０３の処理としてＡＤＰＣＭモードで記録される。つまりＡＤＰＣＭ圧縮処理が施され、暗号化処理は行われずにメモリカードに記録される。この場合、接続されたマイクロホンがステレオ入力仕様であれば、ステレオ音声として記録される。
【００８２】
なおこの場合は、基本的にはメモリカード４０Ｂが用いられるべきであるが、装填されているメモリカードがメモリカード４０Ａであってもよい。つまりユーザーが間違って（或いはメモリカード４０Ｂの手持ちがなくて）メモリカード４０Ａを装填してしまっても、録音は実行される。
また、このようにマイクロホン入力モードとされているときは、スイッチ９３がｃ端子の接続状態となっていることから、端子９からのデータの録音は不能となる。つまり著作権保護が必要な端子９からの音楽データが、マイクロホン入力モードにおいてメモリカードに記録されることはない。
【００８３】
ステップＦ２０１でライン入力モードと判別された場合、つまりユーザーがパーソナルコンピュータからの複写又は移動としての音楽記録を求めている場合は、ＣＰＵ２は処理をステップＦ２０４に進め、カード判別機能２ｂにより装填されているメモリカードの種別を判別する。
そして著作権対応のメモリカード４０Ａであった場合は、ステップＦ２０７に進んで、スイッチ９３をｂ端子に接続させる。
【００８４】
これにより、ＵＳＢコネクタとしての端子９から入力されるオーディオ信号（ＡＴＲＡＣ３エンコード及び暗号化処理済のオーディオデータ）について、端子９→ＣＰＵ２という入力系が形成される。従ってパーソナルコンピュータ等から供給されたオーディオデータは、ステップＦ２０８の処理としてＡＴＲＡＣ３ステレオモードで記録される。つまりＡＴＲＡＣ３エンコード及び暗号化処理済のステレオオーディオデータがメモリカード４０Ａに記録される。
【００８５】
ところが、ステップＦ２０４で装填されているメモリカードが非著作権対応のメモリカード４０Ｂと判別された場合は、ＣＰＵ２の処理はステップＦ２０５に進んで、スイッチ９３をａ端子に接続させる。
【００８６】
これにより、ＵＳＢコネクタとしての端子９から入力されるオーディオ信号（ＡＴＲＡＣ３エンコード及び暗号化処理済のオーディオデータ）について、端子９→ステレオ／モノラル変換部９２→ＣＰＵ２という入力系が形成される。
従ってＡＴＲＡＣ３エンコード及び暗号化処理済の状態で転送されてきたステレオオーディオデータは、モノラルデータとされ、ステップＦ２０６の処理としてＡＴＲＡＣ３モノラルモードで記録される。
つまりＡＴＲＡＣ３エンコード及び暗号化処理済のオーディオデータは、モノラル化されることで信号品質が落とされてメモリカード４０Ｂに記録される。
即ちこの場合も、モノラル化として信号品質を落とすことで、ユーザーの私的利用としての録音は可能にするが、著作権侵害を目的としての使用にとっては不都合な状態とするものである。
【００８７】
以上の処理による記録動作を図９にまとめて示す。
即ちマイクロホン入力モード（口述記録）の場合には、メモリカードの種別に関わらず、端子８からのマイク入力音声信号がＡＤＰＣＭモードで記録される。
一方、ライン入力モード（音楽記録）の場合には、著作権対応のメモリカード４０Ａが装填された場合は、端子９からのＵＳＢ転送入力をＡＴＲＡＣ３ステレオモード、つまり高品質データのまま記録するが、非著作権対応のメモリカード４０Ｂが装填された場合は、端子９からのＵＳＢ転送入力をＡＴＲＡＣ３モノラルモード、つまり低品質データに変換して記録するものとなる。
【００８８】
なお、端子１０からのデジタルオーディオ信号については、メモリカード４０Ａが装填されている場合以外、つまりメモリカード４０Ｂが装填され認証処理や暗号化処理にとって不都合な状態にあるときは、記録が禁止されるような処理を行なえばよい。
但し図４において破線で示した例で述べたような手法を応用して、メモリカード４０Ｂが装填されている場合は、モノラル化を行って記録処理を行うようにしてもよい。
【００８９】
なお、端子９〜の入力データについて、著作権対応のメモリカード４０Ａが装填されている場合は、品質の高い圧縮方式のステレオのオーディオ信号を記録し、著作権非対応のメモリカードには品質の低い圧縮方式に変換したモノラルのオーディオ信号を記録するようにしてもよい。
【００９０】
以上実施の形態について説明してきたが、本発明は音楽、音声等のオーディオデータのレコーダとしての携帯端末だけではなく、文字データ、動画データ、静止画データ、コンピュータ用途のデータ（プログラム、ファイル等）などの携帯端末においても適用できる。
例えば文字データとしても、出版対象となり著作権保護対象となっている文字データや、個人のタイプした文章や日記など著作権保護を考えなくてよい文字データが存在する。
従って、著作権保護対象となるべき文字データについては、上記レコーダ１Ａ及びメモリカード４０Ａのようにセキュリティブロックを有するシステムにより記録再生されるべきものとなり、一方著作権保護の不要な文字データについては、上記レコーダ１Ｂ及びメモリカード４０Ｂのようにセキュリティブロックを有しないシステムにより記録再生されるべきものとなるため、そのような文字データを対象とする携帯端末として本発明は適用できる。
動画データ、静止画データ、コンピュータ用途のデータなどについても同様である。
【００９１】
また、上述のメモリカードとしては、フラッシュメモリに代表される不揮発性メモリを例にとったが、揮発性メモリにバックアップ用の電池を搭載したメモリカードや光メモリカードを用いてもよい。
【００９２】
【発明の効果】
以上の説明から理解されるように本発明の携帯端末は、ユーザーがメモリを誤挿入したとしても、ユーザーの混乱、誤認、記録不能による不都合が生じないようになり、またその上で、著作権保護機能の維持を実現できるという効果がある。
【００９３】
即ち本発明の携帯端末は、著作権対応のメモリが装着された場合は、第１の圧縮処理が施された入力デジタルオーディオ信号（ライン入力信号）をメモリに記録できるようにするが、非著作権対応のメモリが装着された場合にはデータ品質の低い第２の圧縮処理が施されたオーディオ信号がメモリに記録されるようにしている。またマイク入力信号についても第２の圧縮処理が施されてメモリに記録されるようにしている。従って、ユーザーの誤挿入による不都合の解消と、著作権保護を実現できる。さらにマイク入力についてはメモリ種別に関わらず記録できるため、マイク入力／ライン入力兼用の携帯端末として好適である。
【００９５】
また本発明の携帯端末は、ライン入力モードのときは、著作権対応のメモリが装着された場合は、入力デジタルオーディオ信号（ライン入力のステレオ信号）をそのままメモリに記録できるようにするが、非著作権対応のメモリが装着された場合には、モノラル化してメモリに記録されるようにしている。またマイクロホン入力モードのときは、マイク入力信号がメモリに記録されるようにしている。従って、これもユーザーの誤挿入による不都合の解消と、著作権保護を実現でき、さらにマイク入力についてはメモリ種別に関わらず記録できることから、マイク入力／ライン入力兼用の携帯端末としても好適である。
【図面の簡単な説明】
【図１】本発明の実施の形態のレコーダのブロック図である。
【図２】実施の形態の著作権対応メモリカードのブロック図である。
【図３】実施の形態の非著作権対応のメモリカードのブロック図である。
【図４】第１の実施の形態のレコーダのエンコーダ／デコーダのブロック図である。
【図５】第１の実施の形態のレコーダの記録処理のフローチャートである。
【図６】第１の実施の形態のレコーダの記録動作の説明図である。
【図７】第２の実施の形態のレコーダのエンコーダ／デコーダのブロック図である。
【図８】第２の実施の形態のレコーダの記録処理のフローチャートである。
【図９】第２の実施の形態のレコーダの記録動作の説明図である。
【符号の説明】
１  レコーダ、２  ＣＰＵ、３，５２  セキュリティブロック、４  操作部、５  表示デバイス、６  オーディオインターフェース、７  エンコーダ／デコーダ、１８  モードスイッチ、７１  マイクアンプ、７２  ＡＴＲＡＣ３デコーダ、７３，８２  Ｄ／Ａ変換器、７４，７５，９３，８０，８１  スイッチ、７６ＡＤＰＣＭエンコーダ、７７，９１  Ａ／Ｄ変換器、７８  ＡＴＲＡＣ３エンコーダ、７９  ＡＤＰＣＭデコーダ、９２  ステレオ／モノラル変換部
【図１】
0004300644.tif 000002
【図２】
0004300644.tif 000003
【図３】
0004300644.tif 000004
【図４】
0004300644.tif 000005
【図５】
0004300644.tif 000006
【図６】
0004300644.tif 000007
【図７】
0004300644.tif 000008
【図８】
0004300644.tif 000009
【図９】
0004300644.tif 000010